(57)【特許請求の範囲】
【請求項１】
鋼材に被覆されている防食被覆である有機樹脂層の上に、帯状突起を板体に設けた押さえ材を重ね、前記板体、有機樹脂層を貫通して前記鋼材に鋲を打込むことにより、前記鋼材と有機樹脂層とを互いに密着させるように前記押さえ材を定着させて防食被覆の補強を行なうことに用いられる鋲打銃であって、鋲が装填される銃身を軸線方向可動に組込んだハウジングの先端部外側周面の少なくとも一側に、前記押さえ材の帯状突起と互いに側面で接触して前記帯状突起を保持し、前記ハウジングの前方への押し込み動作に応じて前記帯状突起を軸線方向へ誘導するための案内部が設けられていること
を特徴とする鋲打銃。
【請求項２】
前記押さえ材として互いに平行な複数の帯状突起を設けたものを定着させて前記防食被覆の補強を行なうことに用いられる鋲打銃であって、前記案内部が隣り合う前記帯状突起の間隔とほぼ等しい長さを一辺とする立方形とされている請求項１に記載した鋲打銃。
【請求項３】
前記押さえ材として互いに平行な複数の帯状突起を設けたものを定着させて前記防食被覆の補強を行なうことに用いられる鋲打銃であって、前記案内部が隣り合う前記帯状突起の間隔とほぼ等しい長さを直径とする円筒形とされている請求項１に記載した鋲打銃。
【請求項４】
前記案内部が前記ハウジングと一体品である請求項１，２，３のいずれかに記載した鋲打銃。
【請求項５】
前記案内部が前記ハウジングと別体品である請求項１，２，３のいずれかに記載した鋲打銃。
【請求項６】
鋼材に被覆されている防食被覆である有機樹脂層の上に、帯状突起を板体に設けた押さえ材を重ね、前記板体、有機樹脂層を貫通して前記鋼材に鋲を打込むことにより、前記鋼材と有機樹脂層とを互いに密着させるように前記押さえ材を定着させて防食被覆の補強を行なう鋲打方法であって、鋲が装填される銃身を軸線方向可動に組込んだハウジングの先端部外側周面の少なくとも一側に設けられた案内部に前記帯状突起を嵌込むとともに前記板体を銃身の先端面に面接触させることにより、前記押さえ材をハウジングの先端部に保持させ、これを前記有機樹脂層の上に重ね、
前記ハウジングの前方への押し込み動作に応じて前記帯状突起を軸線方向へ誘導させて前記ハウジングの先端面を前記板体に突き当て、
かかる状態において前記充填した鋲を発射すること
を特徴とする鋲打方法。
【発明の詳細な説明】
【０００１】
【発明の属する技術分野】
本発明は鋼材表面に防食被覆を有する構造物、殊に水中に設置されている構造物の防食被覆を補強することに用いられる鋲打銃並びに鋲打方法に関するものである。
【０００２】
【従来の技術】
Ｈ形鋼、鋼管、鋼管矢板、鋼矢板などの鋼材が埋め立て地や河川の土止め壁、港湾の桟橋、橋脚などの多くの分野で使用されている。これらの海洋環境や河川環境で使用される鋼材は、海水や河川水にさらされるので防食を施すのが一般であり、防食手段として有機樹脂層を被覆することが多く用いられている。
【０００３】
即ち、下地処理した鋼材表面に有機樹脂を下塗りし、その上に塗料やポリエチレンなどからなる所望厚さの有機樹脂層を設けて防食被覆とするものであり、重防食塗装または樹脂ライニング法として知られている技術である。
【０００４】
【発明が解決しようとする課題】
前記の防食被覆は界面での密着力が経年的に低下するのを避けることができず、特に海水や河川水にさらされる環境にあっては水流や波浪の力を受けやすい場所に置かれると密着力の低下が促進され、遂には剥離して防食機能を失うに至る、という心配がある。
【０００５】
その対策として、鋼材に被覆されている有機樹脂層の上に板状の押さえ材を重ね、この押さえ材と有機樹脂層とを貫通して鋼材に固定される固着具を用いてこれらを互いに密着させることにより、防食被覆を補強することが考えられる。
【０００６】
前記の対策を既存の水中構造物に講じるときは水中で補強作業を行なわなければならないが、水中での作業は作業者の負担を考慮して簡単且つ迅速に行なわれることが要求される。そのためには、火薬の爆発ガス圧力を利用して鋲を発射し硬い目的物に打込んでその表面に部材を止め着ける、という広く知られた鋲打銃を水中に持ち込んで押さえ材の上から固着具である鋲を打込む、という手段が有利である。
【０００７】
ところが、このような補強作業は防食被覆の密着力が低下した個所或いは防食被覆が剥離寸前或いは剥離してしまった個所で行なわれる場合が多く、このような個所は前述のように水流や波浪の力を受ける場所が多い。従って、作業者が鋲打銃と押さえ材とを持って打込み体勢をとるとき、身体や鋲打銃が揺れ動いて押さえ材を所要の補強個所に重ねて鋲打銃の銃身先端で押さえつけておくことが困難であり、打込みできる体勢が整うまでに長い時間を要したり、押さえ材を落下させたりする危惧を避けることができない。
【０００８】
本発明は有機樹脂層の上に重ねた押さえ材を鋲打銃で発射して鋼材に食い込ませた鋲によって定着させ、鋼材と押さえ材との間に有機樹脂層を挟み込むことによって剥離しないように鋼材に密着させておく、という作業を水流や波浪の激しい場所においても容易且つ確実に行なわせることを目的としたものである。
【０００９】
【課題を解決するための手段】
本発明は、有機樹脂層を鋼材に密着させて充分な補強効果を挙げるに足る強度を有し、且つ鋲を完全に打込ませて浮き上がることのない厚さを有することが押さえ材に要求されことから、押さえ材として有機樹脂層に重ねられる板体に帯状突起を設けたものを用いることを前提としている。帯状突起は板体の補強リブとしての機能をもち、押さえ材全体の強度を高めるものである。従って、板体を鋲打込みの大きな抵抗とならないように薄く作ることが可能となり、打込み不充分による浮き上がりをなくして有機樹脂層を鋼材に安定よく密着させておくことができる。
【００１０】
そして、本発明に係る鋲打銃は鋲が装填される銃身を軸線方向可動に組込んだハウジングの先端部に、帯状突起と互いに側面で接触して軸線方向へ誘導する案内部を設けたものである。
【００１１】
押さえ材としては、帯状突起を一個有するものと複数個有するものとがある。従って、案内部をこの帯状突起に嵌合する案内溝を有するものとしていずれの押さえ材にも適用できるようにしたもの、或いは隣り合う帯状突起の間に嵌込まれる立方形または円筒形として複数の帯状突起を有する押さえ材に適用させるようにしたものが好ましい。
【００１２】
尚、これらの案内部はハウジングと一体品に形成されるか、または別体品に形成される。
【００１３】
そして、前記のような帯状突起と案内部とを互いに嵌合して押さえ材をハウジング先端部に保持させた状態で板体を有機樹脂層の上に重ねるか、または板体を有機樹脂層の上に重ねてからその帯状突起に案内部を嵌合する。次に、鋲を発射するため鋲打銃を板体に押しつけるとき、鋲打銃の揺れ動きは案内部と側面で接触している帯状突起が受けるが、板体が有機樹脂層に面接触しているため揺れ動きをこの面接触部分が受けて防止し、安定した打込み体勢をとることができる。また、鋲打銃と係合状態にある押さえ材は手を離しても落下しないので、作業者は両手で鋲打銃を操作することができ、余裕をもって打込み体勢をとることができる。即ち、水流や波浪の激しい場所においても容易且つ確実に補強作業を行なわせる、という目的が達成されるものである。
【００１４】
【発明の実施の形態】
図面を参照して本発明のいくつかの実施の形態を説明すると、各実施の形態において本発明の鋲打銃は尾端部に片手で握り持つためのグリップおよび引金が配置された円筒状のハウジング１と、尾端に薬室を有し銃腔２にピストンを内包してハウジング１に軸線方向可動に組込まれた銃身３と、引金によって薬室の空包を撃発するように作動させられる撃針とを有しており、銃身３を目的物に押しつけて相対的にハウジング１内に後退させ、これらの先端面が同一面となったとき引金を操作して空包を撃発させ、その火薬の爆発ガス圧力でピストンを駆動し銃腔２の先端部分に装填した鋲２１を目的物に打込む、という周知の構造、機能をもつものである。
【００１５】
図１，図２および図３に示した第一の実施の形態における案内部４は、先端および両側へ開放した案内溝５を有する案内部片６をハウジング１の先端部外側周面の一側に重ねてねじ７により固結したものであって、先端面はハウジング１の先端面と同一面に揃えられているとともに、案内溝５は後述する押さえ材１５の帯状突起１７の厚さとほぼ等しい幅であってその高さよりも僅かに大きい深さとされている。
【００１６】
図３は前記の鋲打銃を用いて水中構造物の防食被覆を補強する作業を説明する図であって、１８はＨ形鋼、鋼管、鋼管矢板、鋼矢板などの鋼材，１９はその表面に被覆されたポリオレフィン、ポリウレタン、ポリ塩化ビニルなどの有機樹脂層であり、前者は平均的に１０ｍｍ程度の厚さをもち、後者は少なくとも１ｍｍ程度の厚さをもつのが普通である。また、押さえ材１５はＦＲＰまたはステンレスで作られるのが普通であり、前者は厚さ０．７〜７ｍｍ程度、後者は厚さ０．１〜３ｍｍ程度であって、ともに長さ１５０ｍｍ以上、帯状突起１７の高さ４０〜１００ｍｍ程度の寸法とすることが好ましい。
【００１７】
図の形態では、押さえ材１５として一側端に帯状突起１７を有するＬ形のものが用いられている。そして、補強作業にあたっては、帯状突起１７を案内溝５に嵌込むとともに板体１６を銃身３の先端面に接触させて押さえ材１５をハウジング１の先端部に保持させた状態で図３の（Ａ）に示すように板体１６を有機樹脂層１９の上に重ねる。板体１６が面接触状態で重ねられたとき鋲打銃は安定した状態となり、且つ有機樹脂層１９に直角の姿勢となる。
【００１８】
そして、ハウジング１を前方へ押すと案内溝５が帯状突起１７に次第に深く嵌合してそれらの両側面での互いの接触により直進するように誘導され、図３の（Ｂ）に示すようにハウジング１の先端面が板体１６に突き当たるに至る。このとき、鋲打銃は撃発可能となり、引金を操作して空包を撃発することにより鋲２１が発射され、鋲２１は板体１６，有機樹脂層１９を貫通して鋼材１８に食い込み、図３の（Ｃ）に示すように頭部２１ａが板体１６の表面に接して停止する。
【００１９】
二本目以降の鋲２１は最初の鋲２１によって水中構造物に固定された押さえ材１５の帯状突起１７に案内溝５を嵌合して前述の要領で打込むことができる。いずれの場合も、鋲打銃が直角の姿勢で行なわれるので鋲２１を斜めに打込むことがない。
【００２０】
前述の補強作業工程における図３の（Ａ），（Ｂ）に示した段階、即ち銃身３の先端面を板体１６に押しつけて有機樹脂層１９の表面に面接触させるとともに、案内部４と帯状突起１７とが互いに嵌合している状態で水流や波浪の力を受けた場合、鋲打銃が揺れ動いても押さえ材１５が一体に揺れ動き、これらが分離して押さえ材１５を落下させることがない。また、適度の力で銃身３を板体１６に押しつけることにより、面接触部分が揺れ動こうとする力を受けて傾きを防止し、安定した打込み体勢を容易にとることができるものである。
【００２１】
図４，図５および図６に示した第二の実施の形態における案内部８は、複数の互いに平行な帯状突起１７を有する押さえ材１５に対応させたものであって、隣り合う帯状突起１７の間隔よりも僅かに短かい長さを一辺とする立体形に作られており、先端面をハウジング１の先端面と同一面に揃えてハウジング１の外側周面に嵌合し、ねじ９により固結したものである。
【００２２】
図６は前記の鋲打銃を用いて水中構造物の防食被覆を補強する作業を説明する図であって、板体１６の両側縁に帯状突起１７を直角に立設してなるコ形の押さえ材１５の帯状突起１７の間に案内部８を嵌込むとともに、銃身３の先端面を板体１６に接触させた状態として図６の（Ａ）に板体１６を有機樹脂層１９の上に重ねる。板体１６が面接触状態で重ねられたとき鋲打銃は安定した状態となり、且つ有機樹脂層１９に直角の姿勢となる。
【００２３】
そして、鋲打銃を作動するためハウジング１を前方へ押すと、案内部８が対向する側面を帯状突起１７にほぼ接触させて挟み込まれた状態でそれらの少なくとも一方の側面での互いの接触により直進するように誘導しながら前方へ移動し、図６の（Ｂ）に示すようにこれらの先端面が板体１６に突き当たるに至る。このとき鋲打銃は撃発可能となり、引金を操作して空包を撃発することにより鋲２１が発射され、鋲２１は板体１６，有機樹脂層１９を直角に貫通して鋼材１８に食い込み、図６の（Ｃ）に示すように頭部２１ａが板体１６の表面に接して停止する。
【００２４】
前述の補強作業工程における図６の（Ａ），（Ｂ）に示した段階で水流や波浪の力を受けた場合、鋲打銃が揺れ動いても押さえ材１５が一体に揺れ動き、これらが分離して押さえ材１５を落下させることがない。また、過度の力で銃身３を板体１６に押しつけることにより、面接触部分が揺れ動こうとする力を受けて傾きを防止し、安定した打込み体勢を容易にとることができる。
【００２５】
前記二つの実施の形態において、押さえ材１５を一方の手で有機樹脂層１９の上に重ね、次にもう一方の手に持った鋲打銃の案内部４，８を帯状突起１７と係合させる、という手順で補強作業を開始することもできる。この場合も係合させた後は押さえ材１５から手を離しても落下させることなく作業を続けることができる。
【００２６】
また、前記二つの実施の形態において、鋼材１８に食い込んで固定された鋲２１の頭部２１ａが押さえ材１５の抜け止めとして働いて定着させ、有機樹脂層１９を鋼材１８との間に挟み込んで互いに密着した状態を維持させるものである。
【００２７】
図７に示した第三の実施の形態のものは、図１，図２に示した第一の実施の形態における案内部片６の二個を銃身３の中心軸線を挟んだ反対位置でハウジング１の先端部外側周面に重ねてねじ７によりそれぞれ固結して案内部１０としたものである。
【００２８】
この形態のものは、二つの帯状突起１７に両側の案内溝５を嵌合して前記第一，第二の形態のものよりも安定した姿勢を得ることができるが、一方の案内溝５のみを用いて一つの帯状突起１７を有する押さえ材１５を定着させることもでき便利である。
【００２９】
図８に示した第４の実施の形態のものは、ハウジング１の先端部分を拡径して円筒形の案内部１１としたものである。このものは、複数の互いに平行な帯状突起１７を有する押さえ材１５に対応させたものであって、案内部１０は隣り合う二つの帯状突起１７の間隔よりも僅かに短かい長さの直径に作られている。
【００３０】
この形態のものは、二つの帯状突起１７の間に案内部１０を嵌込んで第二の実施の形態のものと同様の取扱い、手順で押さえ材１５を定着させるものである。
【００３１】
前記第二，第三および第四の実施の形態のものは、押さえ材１５に対して第二の形態のものにあっては９０度ずつ位相を変えて係合すること、第三の形態のものにあっては１８０度位相を変えて係合すること、第四の形態のものにあっては任意の位相で係合することができ、押さえ材１５の設置方向、障害物による制限を受けることなく使用することができ、さまざまな場所で補強作業を行なうことを可能とする。
【００３２】
また、案内部４，８，１０をハウジング１と別体品に作り、ねじ７，９によって固結したものは、寸法の異なるものを準備して交換することにより、帯状突起１７に対する鋲２１の打込み位置を変更すること、二つの帯状突起１７の間隔が異なる押さえ材１５に対応させること、状況に応じて異なる構成の案内部４，８，１０を使い分けること、が可能となり鋲打銃の有効利用を図ることができる。
【００３３】
【発明の効果】
以上の説明から理解されるように、本発明の鋲打銃を使用することにより、水流や波浪の力を受け作業困難な場所でも押さえ材を定着して防食被覆を補強する作業を安定した姿勢で容易且つ確実に行なうことができるものである。
【図面の簡単な説明】
【図１】本発明の第一の実施の形態を示す要部の縦断面図。
【図２】図１の下面図。
【図３】第一の実施の形態の使用状況説明図。
【図４】本発明の第二の実施の形態を示す要部の縦断面図。
【図５】図４の下面図。
【図６】第二の実施の形態の使用状況説明図。
【図７】本発明の第三の実施の形態を示し、（Ａ）は要部の縦断面図、（Ｂ）は下面図。
【図８】本発明の第四の実施の形態を示し、（Ａ）は要部の縦断面図、（Ｂ）は下面図。
【符号の説明】
１  ハウジング，  ３  銃身，  ４，８，１０，１１  案内部，  ５  案内溝，
【図１】
0003834155.tif 000002
【図２】
0003834155.tif 000003
【図３】
0003834155.tif 000004
【図４】
0003834155.tif 000005
【図５】
0003834155.tif 000006
【図６】
0003834155.tif 000007
【図７】
0003834155.tif 000008
【図８】
0003834155.tif 000009